(57)【特許請求の範囲】
【請求項１】
頂面が左右に突設されて頭部（５）が形成されることにより全体が略Ｔ字状に形成され該頭部（５）の下面に略楔形の窪み部（６）が形成されているとともに胴部（４）の先端部（７）が土中に打ち込み可能に形成された全体が竹製の固定材（２）と、該固定材（２）が土中に打ち込まれる際に貫通され該固定材（２）の前記窪み部（６）が掛止されて撓むような素材からなる被着材（１）とを準備し、樹木（１０）の根鉢（１１）の上面に前記被着材（１）を被着し、前記固定材（２）を、前記被着材（１）の上面側から貫通させる状態で土中に打ち込むことによって、前記被着材（１）を下方に撓ませて前記根鉢（１１）の上面に被着させることにより該根鉢（１１）の周辺部を固定し、しかも前記被着材（１）の周縁部は、植穴（９）の外側まで延設し、前記被着材（１）の周縁部に固定ピン（１３）を貫通させ該固定ピン（１３）を土中に打ち込んで前記被着材（１）を固定することにより、樹木を支持して施工することを特徴とする樹木の支持施工方法。
【請求項２】
予め地面に形成された植穴（９）内に根鉢（１１）を収納し、且つ前記植穴（９）を土等により閉塞することにより植設される樹木の支持施工方法において、
頂面が左右に突設されて頭部（５）が形成されることにより全体が略Ｔ字状に形成され該頭部（５）の下面に略楔形の窪み部（６）が形成されているとともに胴部（４）の先端部（７）が土中に打ち込み可能に形成された全体が竹製の固定材（２）と、該固定材（２）が土中に打ち込まれる際に貫通され該固定材（２）の前記窪み部（６）が掛止されて撓むような素材からなる被着材（１）とを準備し、樹木（１０）の根鉢（１１）の上面に前記被着材（１）を被着し、前記固定材（２）を、前記被着材（１）の上面側から貫通させる状態で土中に打ち込むことによって、前記被着材（１）を下方に撓ませて前記根鉢（１１）の上面に被着させることにより該根鉢（１１）の周辺部を固定し、しかも前記被着材（１）の周縁部は、植穴（９）の外側まで延設し、前記被着材（１）の周縁部に固定ピン（１３）を貫通させ該固定ピン（１３）を土中に打ち込んで前記被着材（１）を固定することにより、樹木を支持して施工することを特徴とする樹木の支持施工方法。
【発明の詳細な説明】
【０００１】
【発明の属する技術分野】
本発明は、樹木の支持施工方法、並びにその支持施工方法に用いられる根鉢用の被着材及び固定材からなる固定用具、主として、苗木，幼木等の比較的小さな樹木を支持するための支持施工方法と、その支持施工方法に用いられる根鉢用の被着材及び固定材からなる固定用具に関する。
【０００２】
【従来の技術】
一般に、苗木等の小さな樹木を植え込む場合には、苗木等の根鉢を地中に埋設して植え込まれている。
【０００３】
【発明が解決しようとする課題】
しかしながら、従来では、根鉢を地中に埋設して植え込んでいるだけであるため、樹木を確実に支持することができないという問題があった。
【０００４】
そこで、このような問題点を解決するために、たとえば金属製のワイヤー等を樹木の根鉢に巻装することも考えられるが、この場合には、樹木の根元部が必要以上に締め付けられるおそれがあり、ひいては根元部の損傷等を生じさせるおそれがあった。
【０００５】
さらに、樹木の周辺に雑草が生える可能性があり、このような場合には、樹木、特に苗木のような小樹木の場合には、その位置の確認が非常に困難となり、又、確認し難い故に雑草の草刈り時に誤って樹木まで切断するおそれがあり、さらには雑草の被圧や養分吸収により樹木の生育が不良となる等の種々の問題点があった。
【０００６】
本発明は上述のような問題点を解決するためになされたもので、苗木等のいわゆる小樹木をも確実に支持することができ、且つ樹木の根元部等の損傷を生じさせるのを防止することを課題とする。
【０００７】
また、本発明の他の課題は、樹木の根元部の周辺の雑草の生育を抑制することである。
【０００８】
【課題を解決するための手段】
本発明は、このような課題を解決するためになされたもので、請求項１記載の発明は、頂面が左右に突設されて頭部５が形成されることにより全体が略Ｔ字状に形成され該頭部５の下面に略楔形の窪み部６が形成されているとともに胴部４の先端部７が土中に打ち込み可能に形成された全体が竹製の固定材２と、該固定材２が土中に打ち込まれる際に貫通され該固定材２の前記窪み部６が掛止されて撓むような素材からなる被着材１とを準備し、樹木１０の根鉢１１の上面に前記被着材１を被着し、前記固定材２を、前記被着材１の上面側から貫通させる状態で土中に打ち込むことによって、前記被着材１を下方に撓ませて前記根鉢１１の上面に被着させることにより該根鉢１１の周辺部を固定し、しかも前記被着材１の周縁部は、植穴９の外側まで延設し、前記被着材１の周縁部に固定ピン１３を貫通させ該固定ピン１３を土中に打ち込んで前記被着材１を固定することにより、樹木を支持して施工することを特徴とする。
【０００９】
また、請求項２記載の発明は、予め地面に形成された植穴９内に根鉢１１を収納し、且つ前記植穴９を土等により閉塞することにより植設される樹木の支持施工方法において、頂面が左右に突設されて頭部５が形成されることにより全体が略Ｔ字状に形成され該頭部５の下面に略楔形の窪み部６が形成されているとともに胴部４の先端部７が土中に打ち込み可能に形成された全体が竹製の固定材２と、該固定材２が土中に打ち込まれる際に貫通され該固定材２の前記窪み部６が掛止されて撓むような素材からなる被着材１とを準備し、樹木１０の根鉢１１の上面に前記被着材１を被着し、前記固定材２を、前記被着材１の上面側から貫通させる状態で土中に打ち込むことによって、前記被着材１を下方に撓ませて前記根鉢１１の上面に被着させることにより該根鉢１１の周辺部を固定し、しかも前記被着材１の周縁部は、植穴９の外側まで延設し、前記被着材１の周縁部に固定ピン１３を貫通させ該固定ピン１３を土中に打ち込んで前記被着材１を固定することにより、樹木を支持して施工することを特徴とする。
【００１１】
被着材１は、たとえばヤシの繊維からなるマットで構成される。
【００１２】
また被着材１は、その樹木の根元部の周辺部に装着される部分が、縫製されていることが好ましい。
【００１７】
【発明の実施の形態】
以下、本発明の実施形態について図面に従って説明する。
【００１８】
先ず、図１に示すような根鉢用の被着材１及び図２に示すような根鉢用の固定材２を準備する。
【００１９】
根鉢用の被着材１は、ヤシの繊維からなるマット、より具体的には、ヤシの繊維を編み目の細かい紐網状に編成又は織成したマット状に形成されたものであり、図１に示すように、全体が平面略正方形状に形成されている。
【００２０】
また被着材１の略中央から側縁側にかけて、苗木の根元部を挿入するための切欠３が形成されている。
【００２１】
固定材２は、全体が竹製であり、図２に示すような細長な胴部４と、該胴部４の頂面が左右に突設された頭部５とからなり、全体が略Ｔ字状に形成されている。
【００２２】
固定材２の頭部９の下面には、略楔形の窪み部６が形成されている。
【００２３】
また、胴部４の下端部７は、土中に打ち込み可能となるように、先細に形成されている。
【００２４】
次に、上記のような被着材１及び固定材２を用いて樹木の一例としての苗木を支持施工する方法について説明する。
【００２５】
先ず、図３に示すように、苗木を設置すべき地面８に植穴９を形成し、その植穴９内に、図４に示すように、苗木10の根鉢９を収納する。
【００２６】
この場合、植穴９内には、必要に応じて土壌改良剤が散布される。また、苗木10の収納後は、その苗木10の根元部12の周辺に灌水がなされる。
【００２７】
次に、図５に示すように、被着材１を苗木10の根元部12の周囲に設置する。この場合、被着材１の切欠３の部分を苗木10の根元部12まで挿入することで、被着材１が設置されることになる。
【００２８】
その後、図６及び図７に示すように、苗木10の根元部12の周囲の３箇所に、固定材２を貫通させるとともに、土中に打ち込む。
【００２９】
また、被着材１の４角コーナー部には、固定ピン13を貫通させるとともに、土中に打ち込む。
【００３０】
このようにして、３本の固定材２，２と、４本の固定ピン13，…とによって、被着材１が固定されることになる。
【００３１】
特に、根鉢11の近辺に打ち込まれる固定材２は、全体が略Ｔ字状に形成されて胴部４の頂面から左右に頭部５が突設されているため、固定材２が土中に打ち込まれる際に、図８に示すように固定材２が被着材１を下方に引き込み、それによって被着材１が下方に撓み、その結果、被着材１が根鉢11の上面に被着されて根鉢11を確実に押え込むことができるのである。
【００３２】
特に、固定材２の頭部５の下面側に窪み部６が形成されているため、その頭部５の下面が被着材１の編み目に確実に掛止されることになり、被着材１の根鉢11に対する押圧力がより確実に作用することになる。
【００３３】
従って、上記のような被着材１と固定材２とが一体となって、苗木14を確実に支持することができるのである。
【００３４】
尚、上記実施形態では、被着材１が、ヤシの繊維を編み目の細かい紐網状に編成又は織成したマット状のもので構成されていたが、被着材１の構成は該実施形態に限定されるものではない。
【００３５】
たとえば、編み目の粗い粗網状に編成又は織成したマット状のもので構成されていてもよく、或いは、粗い編目の中に、ヤシの繊維を充填したようなもので構成されていてもよい。
【００３６】
尚、いずれの場合にも、図９に示すように、苗木10の根元部12の周囲の部分を縫製して縫製部15を形成することが好ましい。
【００３７】
このような縫製部15を形成することによって、上記のような固定材２を打ち込んで被着材１を押圧した際に、その押圧力が増大し、被着材１が根鉢11をより好適に押さえ込むことになる。
【００３８】
さらに、上記実施形態では、被着材１がヤシの繊維からなるマット状のもので構成されていたが、被着材１の素材は該実施形態のヤシに限定されるものではなく、たとえば麻や綿等のものを使用することも可能である。
【００３９】
また、紙製のものを用いることも可能である。さらには、このような天然素材の他、不織布のようなもの、或いは合成繊維、合成樹脂等からなるものを用いることも可能である。
【００４１】
尚、被着材１に孔を穿設する場合には、その孔から雑草等が生育して伸びる可能性があり、被着材１のマルチング効果が低下するため、孔を穿設せずに、上記実施形態のように固定材２等を被着材１に貫通状態で打つ込むことが必要である。
【００４２】
さらに、上記実施形態では、被着材１に切込３を形成することによって、苗木10の根元部12を、被着材１の中央部近辺に挿入する作業を容易に行うことができるという好ましい効果が得られたが、このような切込３を形成することも、本発明に必須の条件ではない。
【００４３】
さらに、上記実施形態では、被着材１が平面略正方形状に形成されていたが、被着材１の形状も該実施形態に限定されるものではなく、たとえば略円形や略三角形状に形成することも可能であり、その形状は問わない。
【００４７】
さらに、上記実施形態では、苗木に適用する場合について説明したが、苗木に限らず、苗木以外の小樹木、或いは大型の樹木の支持施工に本発明を適用することも可能である。
【００４８】
【発明の効果】
以上のように、本発明は、樹木の根鉢の上面に被着材を被着し、該被着材の上面側から固定材を打ち込むことによって前記根鉢の周辺部を固定し、しかも前記被着材の周縁部は、植穴の外側まで延設して固定することにより、樹木を支持して施工する方法であるため、上記のような被着材を根鉢の上面に被着させ、その被着材を、上面側から打ち込む固定材で固定することにより、被着材が固定材に下方側へ引き込まれて被着材の押圧力が根鉢の上面に好適に作用し、従って、被着材と固定材とが一体となって根鉢を押さえ込んで、根鉢を確実に固定することができ、ひいては樹木を確実に支持することができるという効果がある。
【００４９】
さらに、被着材の周縁部は、植穴の外側まで延設して固定しているため、いわゆるマルクチングマットとしての機能を奏することとなり、樹木の周辺部において雑草が生育するのを好適に防止することができるという効果がある。
【００５０】
また、マルチングマットとしての機能を奏することにより、美観を維持し、土中の温度を保護し、灌水を拡散する等の効果を有する。
【００５１】
いずれにしても、本発明においては、被着材と固定材との一体的な作用により、樹木を支持固定する機能と、いわゆるマルチングマットとしての機能との双方の機能を奏することができるという顕著な効果を有するに至った。
【００５２】
さらに、根鉢の周辺で被着材が固定材で押さえられて固定されるので、根鉢の周辺部にいわゆる水鉢が自然に形成されることになり、その結果、灌水の効果を向上させることができる。
【００５３】
さらに、樹木の根元部の周辺部の被着材の部分を縫製した場合には、固定材を打ち込んで被着材を押圧した際に、その押圧力を増大させることができ、根鉢に対する押圧力をより好適に作用させることができるという効果がある。
【００５４】
さらに、固定材の頂面が左右に突設されて頭部が形成されることにより、全体が略Ｔ字状に形成されているので、固定材の打ち込みによる被着材の根鉢に対する押圧作用をより好適に生じさせることができ、特に固定材の頭部の下面に、略楔形の窪み部を形成しているので、その作用がより良好となる。
【００５５】
また、固定材を竹製のものとしたので、一定年数経過後に固定材も分解させることができるという効果がある。
【００５６】
さらに、固定材が竹製のものであるので、天然素材のものであるにもかかわらず、被着材を下方に引っ張る作用が損なわれることもない。
【図面の簡単な説明】
【図１】一実施形態としての被着材の平面図。
【図２】一実施形態としての固定材の平面図。
【図３】植穴を形成する工程を示す断面図。
【図４】植穴内に根鉢を収納する工程を示す断面図。
【図５】被着材を樹木の周囲に設置する工程を示す断面図。
【図６】固定材を打ち込んで被着材を根鉢に被着させる工程の断面図。
【図７】同平面図。
【図８】固定材と被着材との作用の相関関係を示す一部断面側面図。
【図９】他の実施形態の平面図。
【図１０】他の実施形態の固定材の正面図。
【図１１】他の実施形態の固定材の正面図。
【符号の説明】
１…被着材        ２…固定材
５…頭部          10…苗木
11…根鉢
【図１】
0003764946.tif 000002
【図２】
0003764946.tif 000003
【図３】
0003764946.tif 000004
【図４】
0003764946.tif 000005
【図５】
0003764946.tif 000006
【図６】
0003764946.tif 000007
【図７】
0003764946.tif 000008
【図８】
0003764946.tif 000009
【図９】
0003764946.tif 000010
【図１０】
0003764946.tif 000011
【図１１】
0003764946.tif 000012